(57)【要約】  より速いドップラースピードを有するＵＥに適応したプリコーディングスキームがある。このような送信スキームでは、送信ストリーム中の各ＯＦＤＭシンボルに対して、異なるプリコーディング行列が適用される。さらに、ダウンリンク制御メッセージフォーマットは、同じメッセージフォーマットを使用して、複数の異なる送信スキームの割り当てを取り扱うように規定されている。ダウンリンク制御メッセージフォーマットは、割り当てられた送信スキームに特に適用可能である１組のパラメータのほかに、メッセージフィールドのうちの１つにおいて、制御要素を含む。この制御要素の値に基づいて、ＵＥは、特定の送信スキームを設定し、その送信スキームに一意的に関係付けられている１組の解釈ルールを決定し、解釈ルールを使用して、選択した送信スキームに適用されるような１組のパラメータを読み取ることができる。【選択図】    図３Ｂ
2013536654.tif 000002
【特許請求の範囲】
【請求項１】
アップリンク送信ストリーム中の複数の直交周波数分割多重化（ＯＦＤＭ）シンボルをプリコーディングする方法において、
第１のプリコーディング行列を第１のＯＦＤＭシンボルに割り当てることと、
第２のプリコーディング行列を第２のＯＦＤＭシンボルに割り当てることとを含み、
前記第２のプリコーディング行列は、前記第１のプリコーディング行列とは異なる方法。
【請求項２】
プリコーディング行列の既知のライブラリから前記第１のプリコーディング行列を選択することをさらに含み、
前記第２のプリコーディング行列を割り当てることは、前記第１のプリコーディング行列の列を並べ替えることを含む請求項１に記載の方法。
【請求項３】
前記第１のプリコーディング行列が、送信ランクに等しい回数、並べ替えられているときに、前記プリコーディング行列の既知のライブラリから別のプリコーディング行列を選択することと、
前記別のプリコーディング行列を次のＯＦＤＭシンボルに割り当てることとをさらに含み、
前記別のプリコーディング行列を選択することは、予め定められた選択シーケンスにしたがって行われる請求項２に記載の方法。
【請求項４】
前記第１および第２のプリコーディング行列は、プリコーディング行列の既知のライブラリから選択され、前記方法は、予め定められた選択シーケンスを使用して、前記第２のプリコーディング行列を選択することをさらに含む請求項１に記載の方法。
【請求項５】
アップリンク送信ストリーム中の複数の直交周波数分割多重化（ＯＦＤＭ）シンボルをプリコーディングするワイヤレス通信装置において、
第１のプリコーディング行列を第１のＯＦＤＭシンボルに割り当てる手段と、
第２のプリコーディング行列を第２のＯＦＤＭシンボルに割り当てる手段とを具備し、
前記第２のプリコーディング行列は、前記第１のプリコーディング行列とは異なるワイヤレス通信装置。
【請求項６】
プリコーディング行列の既知のライブラリから前記第１のプリコーディング行列を選択する手段をさらに具備し、
前記第２のプリコーディング行列を割り当てる手段は、前記第１のプリコーディング行列の列を並べ替える手段を備える請求項５に記載のワイヤレス通信装置。
【請求項７】
前記第１のプリコーディング行列が、送信ランクに等しい回数、並べ替えられているときに、前記プリコーディング行列の既知のライブラリから別のプリコーディング行列を選択する手段と、
前記別のプリコーディング行列を次のＯＦＤＭシンボルに割り当てる手段とをさらに具備し、
前記別のプリコーディング行列を選択する手段は、予め定められた選択シーケンスにしたがって行われる請求項６に記載のワイヤレス通信装置。
【請求項８】
前記第１および第２のプリコーディング行列は、プリコーディング行列の既知のライブラリから選択され、前記ワイヤレス通信装置は、予め定められた選択シーケンスを使用して、前記第２のプリコーディング行列を選択する手段をさらに具備する請求項５に記載のワイヤレス通信装置。
【請求項９】
その上にプログラムコードを記録させている一時的でないコンピュータ読取可能媒体を具備する、アップリンク送信ストリーム中の複数の直交周波数分割多重化（ＯＦＤＭ）シンボルをプリコーディングするためのコンピュータプログラムプロダクトにおいて、
前記プログラムコードは、
第１のプリコーディング行列を第１のＯＦＤＭシンボルに割り当てるためのプログラムコードと、
第２のプリコーディング行列を第２のＯＦＤＭシンボルに割り当てるためのプログラムコードとを含み、
前記第２のプリコーディング行列は、前記第１のプリコーディング行列とは異なるコンピュータプログラムプロダクト。
【請求項１０】
プリコーディング行列の既知のライブラリから前記第１のプリコーディング行列を選択するためのプログラムコードをさらに含み、
前記第２のプリコーディング行列を割り当てるためのプログラムコードは、前記第１のプリコーディング行列の列を並べ替えるためのプログラムコードを含む請求項９に記載のコンピュータプログラムプロダクト。
【請求項１１】
前記第１のプリコーディング行列が、送信ランクに等しい回数、並べ替えられているときに、前記プリコーディング行列の既知のライブラリから別のプリコーディング行列を選択するためのプログラムコードと、
前記別のプリコーディング行列を次のＯＦＤＭシンボルに割り当てるためのプログラムコードとをさらに含み、
前記別のプリコーディング行列を選択するためのプログラムコードは、予め定められた選択シーケンスにしたがって実行される請求項１０に記載のコンピュータプログラムプロダクト。
【請求項１２】
前記第１および第２のプリコーディング行列は、プリコーディング行列の既知のライブラリから選択され、前記コンピュータプログラムプロダクトは、予め定められた選択シーケンスを使用して実行される、前記第２のプリコーディング行列を選択するためのプログラムコードをさらに含む請求項９に記載のコンピュータプログラムプロダクト。
【請求項１３】
アップリンク送信ストリーム中の複数の直交周波数分割多重化（ＯＦＤＭ）シンボルをプリコーディングするワイヤレス通信装置において、
少なくとも１つのプロセッサと、
前記少なくとも１つのプロセッサに結合されているメモリとを具備し、
前記少なくとも１つのプロセッサは、
第１のプリコーディング行列を第１のＯＦＤＭシンボルに割り当て、
第２のプリコーディング行列を第２のＯＦＤＭシンボルに割り当てるように構成され、
前記第２のプリコーディング行列は、前記第１のプリコーディング行列とは異なるワイヤレス通信装置。
【請求項１４】
前記少なくとも１つのプロセッサは、プリコーディング行列の既知のライブラリから前記第１のプリコーディング行列を選択するようにさらに構成され、
前記第２のプリコーディング行列を割り当てる前記少なくとも１つのプロセッサの前記構成は、前記第１のプリコーディング行列の列を並べ替えるように構成されている前記少なくとも１つのプロセッサを含む請求項１３に記載のワイヤレス通信装置。
【請求項１５】
前記少なくとも１つのプロセッサは、
前記第１のプリコーディング行列が、送信ランクに等しい回数、並べ替えられているときに、前記プリコーディング行列の既知のライブラリから別のプリコーディング行列を選択し、
前記別のプリコーディング行列を次のＯＦＤＭシンボルに割り当てるようにさらに構成され、
前記別のプリコーディング行列を選択する前記少なくとも１つのプロセッサの前記構成は、予め定められた選択シーケンスを使用して行われる請求項１４に記載のワイヤレス通信装置。
【請求項１６】
前記第１および第２のプリコーディング行列は、プリコーディング行列の既知のライブラリから選択され、前記ワイヤレス通信装置は、予め定められた選択シーケンスを使用して、前記第２のプリコーディング行列を選択する前記少なくとも１つのプロセッサの構成をさらに具備する請求項１３に記載のワイヤレス通信装置。
【請求項１７】
ワイヤレス通信の方法において、
ユーザ機器（ＵＥ）通信に適した複数の送信スキームから、選択された送信スキームを識別することと、
前記選択された送信スキームに関係付けられている制御要素を選択することと、
前記制御要素と、前記選択された送信スキームに一意的に関係付けられている１組のパラメータとを使用して、ダウンリンク制御情報（ＤＣＩ）メッセージを発生させることと、
前記ＵＥに前記ＤＣＩメッセージを送信することとを含む方法。
【請求項１８】
前記制御要素はランクインジケータである請求項１７に記載の方法。
【請求項１９】
前記選択された送信スキームは、閉ループビームフォーミング送信と、開ループビームフォーミング送信と、開ループ空間多重化送信のうちの１つである請求項１７に記載の方法。
【請求項２０】
ワイヤレス通信のための装置において、
ユーザ機器（ＵＥ）通信に適した複数の送信スキームから、選択された送信スキームを識別する手段と、
前記選択された送信スキームに関係付けられている制御要素を選択する手段と、
前記制御要素と、前記選択された送信スキームに一意的に関係付けられている１組のパラメータとを使用して、ダウンリンク制御情報（ＤＣＩ）メッセージを発生させる手段と、
前記ＵＥに前記ＤＣＩメッセージを送信する手段とを具備する装置。
【請求項２１】
前記制御要素はランクインジケータである請求項２０に記載の装置。
【請求項２２】
前記選択された送信スキームは、閉ループビームフォーミング送信と、開ループビームフォーミング送信と、開ループ空間多重化送信のうちの１つである請求項２０に記載の装置。
【請求項２３】
その上にプログラムコードを記録させている一時的でないコンピュータ読取可能媒体を具備する、ワイヤレスネットワーク中でのワイヤレス通信のためのコンピュータプログラムプロダクトにおいて、
前記プログラムコードは、
ユーザ機器（ＵＥ）通信に適した複数の送信スキームから、選択された送信スキームを識別するためのプログラムコードと、
前記選択された送信スキームに関係付けられている制御要素を選択するためのプログラムコードと、
前記制御要素と、前記選択された送信スキームに一意的に関係付けられている１組のパラメータとを使用して、ダウンリンク制御情報（ＤＣＩ）メッセージを発生させるためのプログラムコードと、
前記ＵＥに前記ＤＣＩメッセージを送信するためのプログラムコードとを含むコンピュータプログラムプロダクト。
【請求項２４】
前記制御要素はランクインジケータである請求項２３に記載のコンピュータプログラムプロダクト。
【請求項２５】
前記選択された送信スキームは、閉ループビームフォーミング送信と、開ループビームフォーミング送信と、開ループ空間多重化送信のうちの１つである請求項２４に記載のコンピュータプログラムプロダクト。
【請求項２６】
ワイヤレス通信のために構成されている装置において、
前記装置は、
少なくとも１つのプロセッサと、
前記少なくとも１つのプロセッサに結合されているメモリとを具備し、
前記少なくとも１つのプロセッサは、
ユーザ機器（ＵＥ）通信に適した複数の送信スキームから、選択された送信スキームを識別し、
前記選択された送信スキームに関係付けられている制御要素を選択し、
前記制御要素と、前記選択された送信スキームに一意的に関係付けられている１組のパラメータとを使用して、ダウンリンク制御情報（ＤＣＩ）メッセージを発生させ、
前記ＵＥに前記ＤＣＩメッセージを送信するように構成されている装置。
【請求項２７】
前記制御要素はランクインジケータである請求項２６に記載の装置。
【請求項２８】
前記選択された送信スキームは、閉ループビームフォーミング送信と、開ループビームフォーミング送信と、開ループ空間多重化送信のうちの１つである請求項２６に記載の装置。
【請求項２９】
ワイヤレスネットワーク中でのアップリンク通信のための方法において、
基地局からダウンリンク制御メッセージを受信することと、
前記ダウンリンク制御メッセージから制御要素を読み取ることと、
前記制御要素に基づいて、アップリンク送信スキームを設定することと、
前記制御要素に一意的に関係付けられている１組の解釈ルールを決定することと、
前記１組の解釈ルールにしたがって、前記ダウンリンク制御メッセージ内の１組のパラメータを解釈することとを含む方法。
【請求項３０】
前記制御要素はランクインジケータである請求項２９に記載の方法。
【請求項３１】
前記アップリンク送信スキームは、閉ループビームフォーミング送信と、開ループビームフォーミング送信と、開ループ空間多重化送信のうちの１つを含む請求項２９に記載の方法。
【請求項３２】
ワイヤレス通信装置において、
基地局からダウンリンク制御メッセージを受信する手段と、
前記ダウンリンク制御メッセージから制御要素を読み取る手段と、
前記制御要素に基づいて、アップリンク送信スキームを設定する手段と、
前記制御要素に一意的に関係付けられている１組の解釈ルールを決定する手段と、
前記１組の解釈ルールにしたがって、前記ダウンリンク制御メッセージ内の１組のパラメータを解釈する手段とを具備するワイヤレス通信装置。
【請求項３３】
前記制御要素はランクインジケータである請求項３２に記載のワイヤレス通信装置。
【請求項３４】
前記アップリンク送信スキームは、閉ループビームフォーミング送信と、開ループビームフォーミング送信と、開ループ空間多重化送信のうちの１つを含む請求項３２に記載のワイヤレス通信装置。
【請求項３５】
その上にプログラムコードを記録させている一時的でないコンピュータ読取可能媒体を具備する、ワイヤレスネットワーク中でのワイヤレス通信のためのコンピュータプログラムプロダクトにおいて、
前記プログラムコードは、
基地局からダウンリンク制御メッセージを受信するためのプログラムコードと、
前記ダウンリンク制御メッセージから制御要素を読み取るためのプログラムコードと、
前記制御要素に基づいて、アップリンク送信スキームを設定するためのプログラムコードと、
前記制御要素に一意的に関係付けられている１組の解釈ルールを決定するためのプログラムコードと、
前記１組の解釈ルールにしたがって、前記ダウンリンク制御メッセージ内の１組のパラメータを解釈するためのプログラムコードとを含むコンピュータプログラムプロダクト。
【請求項３６】
前記制御要素はランクインジケータである請求項３５記載のコンピュータプログラムプロダクト。
【請求項３７】
前記アップリンク送信スキームは、閉ループビームフォーミング送信と、開ループビームフォーミング送信と、開ループ空間多重化送信のうちの１つを含む請求項３５に記載のコンピュータプログラムプロダクト。
【請求項３８】
ワイヤレス通信のために構成されている装置において、
前記装置は、
少なくとも１つのプロセッサと、
前記少なくとも１つのプロセッサに結合されているメモリとを具備し、
前記少なくとも１つのプロセッサは、
基地局からダウンリンク制御メッセージを受信し、
前記ダウンリンク制御メッセージから制御要素を読み取り、
前記制御要素に基づいて、アップリンク送信スキームを設定し、
前記制御要素に一意的に関係付けられている１組の解釈ルールを決定し、
前記１組の解釈ルールにしたがって、前記ダウンリンク制御メッセージ内の１組のパラメータを解釈するように構成されている装置。
【請求項３９】
前記制御要素はランクインジケータである請求項３８に記載の装置。
【請求項４０】
前記アップリンク送信スキームは、閉ループビームフォーミング送信と、開ループビームフォーミング送信と、開ループ空間多重化送信のうちの１つを含む請求項３８に記載の装置。
【発明の詳細な説明】
【関連出願に対する相互参照】
【０００１】
本願は、“ＬＴＥ−Ａアップリンクのための開ループＭＩＭＯモード”と題され、２０１０年８月２４日に出願された米国仮特許出願第６１／３７６，６３９号と、“ＬＴＥ−Ａアップリンクのための開ループＭＩＭＯモード”と題され、２０１１年８月１９日に出願された米国特許出願番号第１３／２１４，０２４号との利益を主張し、この出願は、そのすべてがここでの参照により明確に組み込まれている。
【背景】
【０００２】
分野
本開示は、一般的に、通信に関し、さらに詳細には、複数入力複数出力（ＭＩＭＯ）ワイヤレス通信システムにおいて、送信リソースを割り振って使用するための技術に関する。
【０００３】
背景
ワイヤレス通信システムは、音声、ビデオ、パケットデータ、メッセージング、ブロードキャスト等のような、さまざまな通信コンテンツを提供するために、広く展開されている。これらのワイヤレスシステムは、利用可能なネットワークリソースを共有することにより、複数のユーザをサポートできる多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、単一搬送波ＦＤＭＡ（ＳＣ−ＦＤＭＡ）システムを含む。
【０００４】
無線通信システムは、多くのユーザ機器（ＵＥ）のための通信をサポートすることができる多くの基地局を含んでもよい。基地局は、複数の送信アンテナおよび／または受信アンテナを含んでもよい。各ＵＥは、複数の送信アンテナおよび／または受信アンテナを含んでもよい。ＵＥは、基地局によって示されるトランスポートブロックの割り当てを使用して、アップリンクで、トランスポートしてもよい。現在合意されているバージョンのロングタームエボリューション（ＬＴＥ）のような、従来のワイヤレスシステムでは、アップリンク方向での送信は、単一入力複数出力（ＳＩＭＯ）送信、または、閉ループＭＩＭＯ送信のいずれかとして、実行されてもよい。ＬＴＥアドバンスト（ＬＴＥ−Ａ）規格における、最大４本のアンテナを有するＵＥの導入により、追加のアップリンク送信スキームが、性能を改善してもよい。
【概要】
【０００５】
本開示の代表的な態様は、ＯＦＤＭシンボルのシーケンスを含む、１つのサブフレームの時間１ｍｓ内でさえ、ＵＥによって参照されるチャネルをすばやく変化させるより速いドップラースピードを有するＵＥに適応したプリコーディングスキームに向けられている。このような送信スキームでは、送信ストリーム中の各ＯＦＤＭシンボルに対して、異なるプリコーディング行列が適用される。いくつかの例示的な態様では、プリコーディング行列の既知のライブラリ（例えば、標準ライブラリ）から、プリコーディング行列を選択してもよい一方で、他の例示的な態様では、ＵＥは、同じ組の行列レイヤの適用を増加させるために、既知のライブラリから選択した各プリコーディング行列を並べ替えてもよい。
【０００６】
本開示の別の代表的な態様では、同じメッセージフォーマットを使用して、複数の異なる送信スキームの割り当てを取り扱うように、ダウンリンク制御メッセージフォーマットが規定されている。このようなダウンリンク制御メッセージは、１組のパラメータのほかに、メッセージフィールドのうちの１つにおいて、制御要素を含む。この制御要素の値に基づいて、ＵＥは、特定の送信スキームを設定し、その送信スキームに一意的に関係付けられている１組の解釈ルールを決定する。解釈ルールを使用して、ＵＥは、選択した送信スキームに適用されるような１組のパラメータを読み取ることができる。
【０００７】
本開示の１つの態様では、アップリンク送信ストリーム中の複数のＯＦＤＭシンボルをプリコーディングする方法は、第１のプリコーディング行列を第１のＯＦＤＭシンボルに割り当てることと、第２のプリコーディング行列を第２のＯＦＤＭシンボルに割り当てることとを含み、ここで、第２のプリコーディング行列は、第１のプリコーディング行列とは異なる。
【０００８】
本開示の追加の態様では、ワイヤレス通信のために構成されている装置は、第１のプリコーディング行列を第１のＯＦＤＭシンボルに割り当てる手段と、第２のプリコーディング行列を第２のＯＦＤＭシンボルに割り当てる手段とを具備し、ここで、第２のプリコーディング行列は、第１のプリコーディング行列とは異なる。
【０００９】
本開示の追加の態様では、コンピュータプログラムプロダクトは、その上にプログラムコードを記録させているコンピュータ読取可能媒体を有する。このプログラムコードは、第１のプリコーディング行列を第１のＯＦＤＭシンボルに割り当てるためのコードと、第２のプリコーディング行列を第２のＯＦＤＭシンボルに割り当てるためのコードとを含み、ここで、第２のプリコーディング行列は、第１のプリコーディング行列とは異なる。
【００１０】
本開示の追加の態様では、ワイヤレス通信のために構成されている装置は、少なくとも１つのプロセッサと、プロセッサに結合されているメモリとを具備し、第１のプリコーディング行列を第１のＯＦＤＭシンボルに割り当て、第２のプリコーディング行列を第２のＯＦＤＭシンボルに割り当てるように構成され、ここで、第２のプリコーディング行列は、第１のプリコーディング行列とは異なる。
【００１１】
本開示の別の態様では、ワイヤレス通信のための方法は、ＵＥ通信に適した複数の送信スキームから、選択された送信スキームを識別することと、選択された送信スキームに関係付けられている制御要素を選択することと、制御要素と、選択された送信スキームに一意的に関係付けられている１組のパラメータとを使用して、ＤＣＩメッセージを発生させることと、ＵＥにＤＣＩメッセージを送信することとを含む。
【００１２】
本開示の追加の態様では、ワイヤレス通信のために構成されている装置は、ＵＥ通信に適した複数の送信スキームから、選択された送信スキームを識別する手段と、選択された送信スキームに関係付けられている制御要素を選択する手段と、制御要素と、選択された送信スキームに一意的に関係付けられている１組のパラメータとを使用して、ＤＣＩメッセージを発生させる手段と、ＵＥにＤＣＩメッセージを送信する手段とを具備する。
【００１３】
本開示の追加の態様では、コンピュータプログラムプロダクトは、その上にプログラムコードを記録させているコンピュータ読取可能媒体を有する。このプログラムコードは、ＵＥ通信に適した複数の送信スキームから、選択された送信スキームを識別するためのコードと、選択された送信スキームに関係付けられている制御要素を選択するためのコードと、制御要素と、選択された送信スキームに一意的に関係付けられている１組のパラメータとを使用して、ＤＣＩメッセージを発生させるためのコードと、ＵＥにＤＣＩメッセージを送信するためのコードとを含む。
【００１４】
本開示の追加の態様では、ワイヤレス通信のために構成されている装置は、少なくとも１つのプロセッサと、プロセッサに結合されているメモリとを具備し、ＵＥ通信に適した複数の送信スキームから、選択された送信スキームを識別し、選択された送信スキームに関係付けられている制御要素を選択し、制御要素と、選択された送信スキームに一意的に関係付けられている１組のパラメータとを使用して、ＤＣＩメッセージを発生させ、ＵＥにＤＣＩメッセージを送信するように構成されている。
【００１５】
本開示の別の態様では、ワイヤレス通信のための方法は、基地局からダウンリンク制御メッセージを受信することと、ダウンリンク制御メッセージから制御要素を読み取ることと、制御要素に基づいて、アップリンク送信スキームを設定することと、制御要素に一意的に関係付けられている１組の解釈ルールを決定することと、１組の解釈ルールにしたがって、ダウンリンク制御メッセージ内の１組のパラメータを解釈することとを含む。
【００１６】
本開示の追加の態様では、ワイヤレス通信のために構成されている装置は、基地局からダウンリンク制御メッセージを受信する手段と、ダウンリンク制御メッセージから制御要素を読み取る手段と、制御要素に基づいて、アップリンク送信スキームを設定する手段と、制御要素に一意的に関係付けられている１組の解釈ルールを決定する手段と、１組の解釈ルールにしたがって、ダウンリンク制御メッセージ内の１組のパラメータを解釈する手段とを具備する。
【００１７】
本開示の追加の態様では、コンピュータプログラムプロダクトは、その上にプログラムコードを記録させているコンピュータ読取可能媒体を有する。このプログラムコードは、基地局からダウンリンク制御メッセージを受信するためのコードと、ダウンリンク制御メッセージから制御要素を読み取るためのコードと、制御要素に基づいて、アップリンク送信スキームを設定するためのコードと、制御要素に一意的に関係付けられている１組の解釈ルールを決定するためのコードと、１組の解釈ルールにしたがって、ダウンリンク制御メッセージ内の１組のパラメータを解釈するためのコードとを含む。
【００１８】
本開示の追加の態様では、ワイヤレス通信のために構成されている装置は、少なくとも１つのプロセッサと、プロセッサに結合されているメモリとを具備し、基地局からダウンリンク制御メッセージを受信し、ダウンリンク制御メッセージから制御要素を読み取り、制御要素に基づいて、アップリンク送信スキームを設定し、制御要素に一意的に関係付けられている１組の解釈ルールを決定し、１組の解釈ルールにしたがって、ダウンリンク制御メッセージ内の１組のパラメータを解釈するように構成されている。
【００１９】
本開示のさまざまな態様および特徴を、以下でさらに詳細に説明する。
【図面の簡単な説明】
【００２０】
【図１】図１は、移動体通信システムの例を概念的に示すブロック図である。
【図２】図２は、本開示の１つの態様にしたがって構成されている基地局／ｅＮＢおよびＵＥの設計を概念的に示すブロック図である。
【図３Ａ】図３Ａは、ＯＦＤＭシンボルの概念的な送信シーケンスの例を示すブロック図である。
【図３Ｂ】図３Ｂは、本開示の１つの態様にしたがって構成されているＯＦＤＭシンボルの概念的な送信スキームを示すブロック図である。
【図３Ｃ】図３Ｃは、本開示の１つの態様を実現するように実行される例示的なブロックを示す機能的なブロック図である。
【図３Ｄ】図３Ｄは、本開示の１つの態様にしたがって構成されている概念的なワイヤレス通信装置を示すブロック図である。
【図４】図４は、本開示の１つの態様にしたがった、ＭＩＭＯシステム中で使用されるプリコーダ行列の概念的なシーケンスを示すブロック図である。
【図５】図５は、本開示の１つの態様にしたがった、ＭＩＭＯシステム中で使用されるプリコーダ行列の別の概念的なシーケンスを示すブロック図である。
【図６】図６は、本開示の１つの態様を実現するように実行される例示的なブロックを示す機能的なブロック図である。
【図７】図７は、本開示の１つの態様にしたがって構成されているワイヤレス通信送信機装置のブロック図表現である。
【図８】図８は、本開示の１つの態様を実現するように実行される例示的なブロックを示す機能的なブロック図である。
【図９】図９は、本開示の１つの態様にしたがって構成されているワイヤレス通信受信機装置のブロック図表現である。
【詳細な説明】
【００２１】
先に論じたように、ＵＥの追加のアンテナ構成の導入は、追加のＳＩＭＯモードまたはＭＩＭＯモードの送信をサポートするように、ダウンリンク上でのシグナリング（signaling）を要求することがある。従来のＬＴＥシステムでは、ダウンリンク制御情報（ＤＣＩ）メッセージは、ＳＩＭＯ閉ループまたはＭＩＭＯ閉ループの２つのモードのうちの１つの信号を出す（signal）。改善された性能を達成するために、例えば、ＵＥが高ドップラーフェーディングを経験している（例えば、高速で移動しているＵＥ）ときには、新しいＭＩＭＯモードが望ましい。
【００２２】
以下で詳細に論じるように、ＤＣＩメッセージの信号を出すための新しい構文要素が導入される。新しいＤＣＩメッセージのフィールドは、ＤＣＩメッセージのフィールドの異なる値を使用して、閉ループランク１のＭＩＭＯモード、または、開ループＭＩＭＯモードのいずれかのシグナリングをイネーブルするために提供される。さらに、１つの態様では、フィールドは、新しいＤＣＩメッセージ中に提供される。このフィールドの解釈は、新しいＤＣＩメッセージの別のフィールド中で示されているランク値に依存して、コンテキスト依存である。以下で詳細に論じるように、ランク１スキームのシグナリングは、ＵＥがセルの端にある状況で、または、ＵＥと基地局との間のチャネルが非常に相関している状況で、有用であるかもしれない。以下で詳細に論じるように、開ループＭＩＭＯシグナリングは、高速で移動しているＵＥに対して、または、高ジオメトリ（high geometry）のケースでのＵＥに対して、有用であるかもしれない。
【００２３】
ここで説明する技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用されてもよい。“システム”および“ネットワーク”という用語は、区別なく使用されることが多い。ＣＤＭＡシステムは、ユニバーサル地上無線アクセス（ＵＴＲＡ）、ｃｄｍａ２０００等のような無線技術を実現してもよい。ＵＴＲＡは、ワイドバンドＣＤＭＡ（ＷＣＤＭＡ）（登録商標）や、ＣＤＭＡの他の変形を含む。ｃｄｍａ２０００は、ＩＳ−２０００、ＩＳ−９５、および、ＩＳ−８５６標準規格をカバーする。ＴＤＭＡシステムは、グローバルシステムフォーモバイル通信（ＧＳＭ）（登録商標）のような無線技術を実現してもよい。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）（登録商標）、ＩＥＥＥ８０２．１６（ＷｉＭＡＸ）、ＩＥＥＥ８０２．２０、Ｆｌａｓｈ ＯＦＤＭ（登録商標）等のような、無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥ−アドバンスト（ＬＴＥ−Ａ）は、ダウンリンク上ではＯＦＤＭＡを用い、アップリンク上ではＳＣ−ＦＤＭＡを用いるＥ−ＵＴＲＡを使用する、新しいリリースのＵＭＴＳである。ＵＴＲＡ、Ｅ−ＵＴＲＡ、ＵＭＴＳ、ＬＴＥ、ＬＴＥ−Ａ、および、ＧＳＭは、“第３世代パートナーシッププロジェクト”（３ＧＰＰ）と名付けられている機関による文書中に記述されている。ｃｄｍａ２０００およびＵＭＢは、“第３世代パートナーシッププロジェクト２”（３ＧＰＰ２）と名付けられている機関による文書中に記述されている。先に述べたシステムおよび無線技術とともに、他のシステムおよび無線技術に対して、ここで説明した技術を使用してもよい。明確にするために、技術のある態様を、ＬＴＥについて以下で説明し、以下の説明の大部分ではＬＴＥの専門用語を使用する。
【００２４】
図１は、ＬＴＥシステムまたは他の何らかのシステムであってもよい、ワイヤレス通信システム１００を示す。システム１００は、多数の進化型ノードＢ（ｅＮＢ）１１０と他のネットワークエンティティとを含んでもよい。ｅＮＢは、ＵＥと通信するエンティティであってもよく、基地局、ノードＢ、アクセスポイント等と呼ばれることもある。各ｅＮＢ１１０は、特定の地理的エリアに対する通信カバレッジを提供してもよく、カバレッジエリア内に位置しているＵＥに対する通信をサポートしてもよい。容量を改善するために、ｅＮＢのカバレッジエリア全体を、複数の（例えば、３つの）より小さいエリアに区分してもよい。より小さい各エリアは、それぞれのｅＮＢサブシステムによって担当されてもよい。３ＧＰＰにおいて、“セル”という用語は、ｅＮＢ１１０の最も小さいカバレッジエリアのことを、および／または、このカバレッジエリアを担当しているｅＮＢサブシステムのことを指すことがある。
【００２５】
ＵＥ１２０は、システム１００全体にわたって散らばっていてもよく、各ＵＥ１２０は、静的なものまたは移動性のものであってもよい。ＵＥはまた、移動局、端末、アクセス端末、加入者ユニット、局等と呼ばれることもある。ＵＥ１２０は、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマートフォン、ネットブック、スマートブック、タブレット等であってもよい。
【００２６】
ＬＴＥは、ダウンリンク上で直交周波数分割多重化（ＯＦＤＭ）を利用し、アップリンク上で単一搬送波周波数分割多重化（ＳＣ−ＦＤＭ）を利用する。ＯＦＤＭおよびＳＣ−ＦＤＭは、周波数範囲を複数の（Ｋs個の）直交副搬送波に区分し、これらの直交副搬送波は、通常、トーン、ビン等とも呼ばれる。各副搬送波は、データにより変調されてもよい。一般に、変調シンボルは、周波数領域中ではＯＦＤＭにより送られ、時間領域中ではＳＣ−ＦＤＭにより送られる。隣接する副搬送波間の間隔は固定であってもよく、副搬送波の総数（Ｋs個）は、システム帯域幅に依存してもよい。例えば、Ｋsは、１．２５、２．５、５、１０、または２０メガヘルツ（ＭＨｚ）のシステム帯域幅に対して、それぞれ、１２８、２５６、５１２、１０２４、または、２０４８に等しくてもよい。システム帯域幅は、Ｋs個の総副搬送波のサブセットに対応していてもよい。
【００２７】
図２は、例示的な基地局／ｅＮＢ１１０およびＵＥ１２０の設計のブロック図を示しており、この基地局／ｅＮＢ１１０およびＵＥ１２０は、図１中の、ｅＮＢのうちの１つ、および、ＵＥのうちの１つであってもよい。ＵＥ１２０には、Ｔ本のアンテナ１２３４ａないし１２３４ｔが装備されていてもよく、基地局１１０には、Ｒ本のアンテナ１２５２ａないし１２５２ｒが装備されていてもよく、ここで、一般に、Ｔ≧１かつＲ≧１である。
【００２８】
ＵＥ１２０において、送信プロセッサ１２２０は、データソース１２１２からデータを、制御装置／プロセッサ１２４０から制御情報を受け取ってもよい。送信プロセッサ１２２０は、データと制御情報とを処理してもよく（例えば、エンコードし、インターリーブし、および、シンボルマッピングしてもよく）、データシンボルと制御シンボルとをそれぞれ提供してもよい。送信プロセッサ１２２０はまた、ＵＥ１２０に割り当てられた１つ以上のＲＳシーケンスに基づいて、複数の近接していないクラスタに対する１つ以上の復調基準信号を発生させてもよく、基準シンボルを提供してもよい。送信（ＴＸ）複数入力複数出力（ＭＩＭＯ）プロセッサ１２３０は、適用可能な場合に、送信プロセッサ１２２０からの、データシンボル、制御シンボル、および／または、基準シンボルに関して空間処理（例えば、プリコーディング）を実行してもよく、Ｔ個の変調器（ＭＯＤ）１２３２ａないし１２３２ｔにＴ個の出力シンボルストリームを提供してもよい。各変調器１２３２は、（例えば、ＳＣ−ＦＤＭＡ、ＯＦＤＭ等のために）それぞれの出力シンボルストリームを処理して、出力サンプルストリームを取得してもよい。各変調器１２３２は、出力サンプルストリームをさらに処理して（例えば、アナログにコンバートして、増幅させて、フィルタリングして、および、アップコンバートして）、アップリンク信号を取得してもよい。変調器１２３２ａないし１２３２ｔからのＴ個のアップリンク信号は、それぞれ、Ｔ本のアンテナ１２３４ａないし１２３４ｔを介して送信されてもよい。
【００２９】
基地局１１０において、アンテナ１２５２ａないし１２５２ｒは、ＵＥ１２０からアップリンク信号を受信して、受信信号を、それぞれ復調器（ＤＥＭＯＤ）１２５４ａないし１２５４ｒに提供してもよい。各復調器１２５４は、それぞれの受信信号を調整して（例えば、フィルタリングして、増幅させて、ダウンコンバートして、および、デジタル化して）、受信サンプルを取得してもよい。各復調器１２５４は、受信サンプルをさらに処理して、受信シンボルを取得してもよい。チャネルプロセッサ／ＭＩＭＯ検出器１２５６は、すべてのＲ個の復調器１２５４ａないし１２５４ｒから受信シンボルを取得してもよい。チャネルプロセッサ１２５６は、ＵＥ１２０から受信した復調基準信号に基づいて、ＵＥ１２０から基地局１１０へのワイヤレスチャネルに対するチャネル推定を導出してもよい。ＭＩＭＯ検出器１２５６は、チャネル推定に基づいて、受信シンボルに関してＭＩＭＯ検出／復調を実行してもよく、検出されたシンボルを提供してもよい。受信プロセッサ１２５８は、検出されたシンボルを処理して（例えば、シンボルデマッピングして、デインターリーブして、および、デコードして）、デコードされたデータをデータシンク１２６０に提供し、デコードされた制御情報を制御装置／プロセッサ１２８０に提供してもよい。
【００３０】
ダウンリンク上で、基地局１１０において、データソース１２６２からのデータと、制御装置／プロセッサ１２８０からの制御情報とが、送信プロセッサ１２６４によって処理され、適用可能である場合には、ＴＸ ＭＩＭＯプロセッサ１２６６によってプリコーディングされ、変調器１２５４ａないし１２５４ｒによって調整され、ＵＥ１２０に送信される。ＵＥ１２０において、基地局１１０からのダウンリンク信号は、アンテナ１２３４によって受信され、復調器１２３２によって調整され、チャネル推定器／ＭＩＭＯ検出器１２３６によって処理され、受信プロセッサ１２３８によってさらに処理されて、ＵＥ１２０に送られたデータおよび制御情報が取得されてもよい。プロセッサ１２３８は、デコードされたデータをデータシンク１２３９に提供し、デコードされた制御情報を制御装置／プロセッサ１２４０に提供してもよい。
【００３１】
制御装置／プロセッサ１２４０および１２８０は、それぞれ、ＵＥ１２０および基地局１１０における動作を指示してもよい。ＵＥ１２０における、プロセッサ１２２０、プロセッサ１２４０ならびに／あるいは他のプロセッサおよびモジュールは、図８中のプロセス８００を、および／または、ここで説明する技術に対する他のプロセスを、実行または指示してもよい。基地局１１０における、プロセッサ１２５６、プロセッサ１２８０ならびに／あるいは他のプロセッサおよびモジュールは、図６中のプロセス６００を、および／または、ここで説明する技術に対する他のプロセスを、実行または指示してもよい。メモリ１２４２および１２８２は、それぞれ、ＵＥ１２０ならびに基地局１１０に対するデータおよびプログラムコードを記憶してもよい。スケジューラ１２８４は、ダウンリンク送信および／またはアップリンク送信に対してＵＥをスケジューリングしてもよく、スケジューリングしたＵＥに対して、リソースの割り振り（例えば、複数の近接していないクラスタ、復調基準信号に対するＲＳシーケンスの、割り当て等）を提供してもよい。
【００３２】
ｅノードＢ１１０に対する送信のために、ＵＥ１２０に対して、あるアップリンク送信スキームが利用可能である。プリコーディング行列（または、ベクトル）は、ＯＦＤＭシンボルごとに切り替わってもよい。各ＯＦＤＭシンボル中で使用されるプリコーディング行列は、３ＧＰＰ ＴＳ３６．２１１文書中の合意されているコードブックから導出される。
【００３３】
図３Ａは、ＵＥ１２０によって送信されるアップリンク信号の一部３００を図示した、ブロック図である。ＬＴＥ−Ａでは、アップリンク送信は、単一搬送波周波数領域多重化（ＳＣ−ＦＤＭ）を使用する。信号部分３００は、２つの図示されたスロットの１４個のシンボル内に散在している２個の基準信号（ＲＳ）送信とともに１２個のＯＦＤＭデータシンボル送信を描写している。現在、送信ストリームの各ＯＦＤＭシンボル（例えば、３００−０〜３００−２、３００−４〜３００−９、３００−１１〜３００−１３）に対して、同じプリコーディング行列（または、ベクトル）が使用されている。現在、ＯＦＤＭシンボルに対して使用されるプリコーディング行列は、３ＧＰＰ ＴＳ３６．２１１文書中のコードブックから導出される。同じプリコーディング行列を使用することは、信頼性の高いチャネル知識が利用可能であるときにさらに利益があることがある。高ドップラー（例えば、ＵＥが速く移動している）の場合、チャネルがより速く変化するため、チャネル知識の信頼性は低くなる。
【００３４】
各ＯＦＤＭシンボルに対して同じプリコーディング行列を維持する代わりに、本開示のさまざまな態様は、各ＯＦＤＭシンボル用のプリコーディング行列（または、ベクトル）の切り替えを提供する。図３Ｂを参照すると、ＵＥ１２０によって送信される信号の別の部分３０１が示されている。各ＯＦＤＭシンボル（例えば、３０１−０〜３０１−２、３０１−４〜３０１−９、３０１−１１〜３０１−１３）は、異なるプリコーディング行列（プリコーダ０〜１１）を使用する。図３Ｂ中の各ＯＦＤＭシンボル（例えば、３０１−０〜３０１−２、３０１−４〜３０１−９、３０１−１１〜３０１−１３）において使用されるプリコーダは、それぞれ、３ＧＰＰ ＴＳ３６．２１１文書中で規定されているプリコーディング行列から選択されてもよい。
【００３５】
図３Ｃは、ワイヤレス通信システム中で送信スキームを通信するのに実行される例示的なブロックのブロックシーケンス３０２を図示した、機能的なブロック図である。ブロック３０４において、第１のプリコーディング行列が、第１のＯＦＤＭシンボルに割り当てられる。ブロック３０６において、第２のプリコーディング行列が、第２のＯＦＤＭシンボルに割り当てられ、第２のプリコーディング行列は、第１のプリコーディング行列とは異なる。
【００３６】
図３Ｄは、第１のプリコーディング行列を第１のＯＦＤＭシンボルに割り当てるためのモジュール３１０を含む、ワイヤレス通信用の装置３０８（例えば、ＵＥ１２０）を描写している。第２のプリコーディング行列を第２のＯＦＤＭシンボルに割り当てるためのモジュール３１２が提供され、第２のプリコーディング行列は、第１のプリコーディング行列とは異なる。
【００３７】
本開示の代替的な態様では、図３Ｂ中の各ＯＦＤＭシンボルにおいて使用されている異なるプリコーダが、プリコーディング行列の列を並べ替えることによって導出されてもよいことに留意すべきである。異なるプリコーディング行列が、プリコーディング行列のライブラリから直接選択されるか、または、選択されたプリコーディング行列が並べ替えられるかにかかわらず、いずれの態様でも、ｅＮＢ１１０およびＵＥ１２０は、双方とも、各ＯＦＤＭシンボルにおいて利用されるプリコーディング行列のシーケンスを認識しているべきである。例えば、ＵＥ１２０は、ｅＮＢ１１０も認識している擬似ランダムシーケンスを使用してもよい。
【００３８】
図４および図５は、プリコーディング行列のサイクリングシーケンス４００および５００における例示的なプリコーダ割り当てを示す。例えば、Ｒが送信ランクであり、Ｍがコードブックサイズであると仮定する。例えば、図４において描写されているような、１つの設計では、ｋ番目のプリコーダ（要素４０２）は、単に、３ＧＰＰ ＴＳ３６．２１１文書中のランクＲに対する、（ｋ ｍｏｄ Ｍ）番目のプリコーディング行列であってもよい。プリコーダ要素４０２は、ＯＦＤＭシンボル３０１−０において使用されている（図３Ｂ）。例えば、図５において描写されているような、別の設計では、（ｋ・Ｒ）番目のプリコーダ（要素５０２）は、３ＧＰＰ ＴＳ３６．２１１文書中の（ｋ ｍｏｄ Ｍ）番目のプリコーディング行列とすることができる。他のプリコーダである（ｋ・Ｒ＋１，ｋ・Ｒ＋２，．．．，ｋ・Ｒ＋Ｒ−１）番目のプリコーダ（要素５０４、５０６、５０８、５１０、および、５１２）は、（ｋ ｍｏｄ Ｍ）番目のプリコーディング行列を並べ替えたバージョンの列であってもよい。
【００３９】
プリコーダ要素５０４は、１回の並べ替えの後の、プリコーダ要素５０２のプリコーディング行列である。プリコーダ要素５０４の３番目の列は、プリコーダ要素５０２の１番目の列である。さらに、最初の並べ替えは、プリコーダ要素５０２の第２の列をここではプリコーダ要素５０４の第１の列とし、プリコーダ要素５０２の第３の列がプリコーダ要素５０４の第２の列となることを結果として生じさせる。図４および図５の送信ランクＲは３であるため、各プリコーダ行列は、３列を含み、単一の送信ストリーム内で異なるプリコーダ行列を達成するために、３回並べ替えられてもよい。プリコーダ要素５０２、５０４、および、５０６は、ＯＦＤＭシンボル３０１−０、３０１−１、および、３０１−２において使用されている（図３Ｂ）。プリコーダ要素５０８は、既知ライブラリから選択された、新たなプリコーディング行列であり、プリコーダ要素５１０および５１２用に３回並べ替えられる。プリコーダ要素５０８、５１０、および５１２は、ＯＦＤＭシンボル３０１−４、３０１−５、および、３０１−６において使用されている（図３Ｂ）。
【００４０】
選択されたプリコーダ行列の並べ替えを使用する本開示の代替的な態様は、各ＯＦＤＭシンボルに対して同じプリコーダ行列を使用する標準規格と、プリコーディング行列の既知のライブラリから新しいプリコーディング行列を直接選択する本開示の追加の代替的な態様との間の、中間的なオプションを提供する。特定のプリコーディング行列の列を並べ替えて、異なるＯＦＤＭシンボルに適用することによって、たとえ、異なる空間レイヤが、ＯＦＤＭシンボルにおいて異なるチャネル条件を参照したとしても、これらのＯＦＤＭシンボルにわたって平均化された各空間レイヤに対するチャネル条件は類似し、これは、すべてのコードワードに対する類似の終了統計（termination statistics）になるだろうことが予想される。
【００４１】
別の設計では、ＵＬ ＭＩＭＯ送信に対して、新しいＤＣＩ構文メッセージが導入されてもよい。現在、２つの送信スキームが、アップリンク送信において規定されている：（１）単一のアンテナの、単一入力複数出力（ＳＩＭＯ）と、（２）複数のアンテナの、複数入力複数出力（ＭＩＭＯ）である。しかしながら、追加の送信スキームを有することは、マルチアンテナアップリンク送信において利益があるだろう。例えば、より低いジオメトリのＵＥは、ランク１の閉ループビームフォーミングの利益を享受することがある一方で、高ドップラーを持つより高いジオメトリのＵＥは、開ループビームフォーミングまたは空間多重化の利益を享受する。したがって、現在の標準的な送信スキームに加えて、ランク１の開ループビームフォーミングおよびより高いランクの開ループ空間多重化のような、追加の開ループ送信スキームを規定することに利益があるだろう。しかしながら、現在の標準規格の下では、ＤＣＩメッセージは、既存の２つよりも多い送信スキームを取り扱うことができない。
【００４２】
以下でさらに説明するように、単一のＤＣＩメッセージ送信を使用して、ランク１の閉ループビームフォーミングまたはより高いランクの開ループ空間多重化のいずれかのスケジューリングを可能にする、新しいＤＣＩメッセージを規定する。この新しいＤＣＩメッセージフォーマットは、制御エントリを含み、制御エントリの値に依存して、異なる組のルールにしたがって、ＤＣＩメッセージのさまざまなフィールドを解釈してもよい。
【００４３】
表１は、新しいＤＣＩメッセージの例示的なフォーマットを提供する。他の設計では、さまざまなフィールドが、異なるように構成されていてもよい。
【表１】
2013536654.tif 000003
【００４４】
表１を参照すると、ＭＣＳフィールドは、変調およびコーディングスキームに対するインデックスを表す。ＮＤＩ＿１およびＮＤＩ＿２は、２つの新しいデータインジケータビットであり、以下でさらに説明するように使用される。２本の送信アンテナを持つ構成は、ランク１またはランク２を有することがあることから、ランク情報を伝えるために、単一ビットのＲＩが使用される。以下でさらに説明するように、ＰＭＩは、プリコーディング行列インデックス（例えば、図３または図４において描写したようなシーケンスに対するインデックス）を表す。Ｘとしてまとめて表されている、変化する長さの他のデータフィールドが、技術的によく知られているままで、含まれていてもよい。表１で参照したＤＣＩメッセージの態様に対して、制御エントリはランクインジケータ（ＲＩ）である。ＲＩの値に依存して、ＤＣＩメッセージの異なるフィールドは、異なるように解釈されるだろう。
【００４５】
例えば、ｅノードＢ１１０によってＲＩが０に設定されているときに、通信チャネルがランク１を有することから、単一のトランスポートブロック（ＴＢ）が送信されることになる。それゆえ、ＵＥ１２０は、単一のＴＢ送信に対してランク１のビームフォーミングを実行する。ＮＤＩ＿１は、送信されることになるＴＢが、新しい送信であるか、または、再送信であるかを示す。ＲＩ＝０の場合、ＮＤＩ＿２は、使用可能なＴＢ（再送信のケースでは、このＴＢが送信される）のインデックスを示す。ＮＤＩ＿２ビットは、新しい送信に対しては有用でないことがあるが、再送信のケースでは、ＮＤＩ＿２は、どのブロックを再送信すべきかを示す。５ビットのＰＭＩフィールドでは、３２個の異なるコードポイント（インデックス）がありえる。１つの設計では、ランク１の閉ループビームフォーミングのためのプリコーディングベクトルの信号を出すために、６個のコードポイントを使用してもよい。残りの２６個のコードポイントのうちの１つが、送信が、開ループランク１送信になることの信号を出すのに利用される。このシグナリングは、例えば、ＯＦＤＭシンボルに対してランク１のプリコーディング行列ベクトルの切り替えを実行するときに、使用されてもよい。使用されていないコードポイントは、将来の使用のために予約されてもよい。
【００４６】
ＲＩが１に設定されているときに、ＵＥ１２０は、（例えば、図３および図４において示されているような）ＯＦＤＭシンボルごとに異なるプリコーディング行列シーケンス（ＰＭＳ）による開ループＭＩＭＯを実行してもよい。２つのＴＢが送信ランク２で送信されることになるときに、ＮＤＩ＿１は、ＴＢ＿１が新しい送信であるか、または、再送信であるかを示してもよい。ＲＩ＝１の場合に、ＮＤＩ＿２は、ＴＢ＿２が新しい送信であるか、または、再送信であるかを示してもよい。５ビットのＭＣＳフィールドは、第１のＴＢ用のＭＣＳの信号を出してもよく、ＲＩ＝１のケースでは、第２のＴＢ用のＭＣＳを表すために、ＵＥ１２０によって５ビットのＰＭＩフィールドが解釈されてもよい。
【００４７】
表２は、ＵＥ１２０が４本の送信アンテナを有するときの例示的なＤＣＩメッセージフォーマットを提供する。表２においてリストアップされているさまざまなフィールドは、何らかの予め規定された順序で使用されてもよい。
【表２】
2013536654.tif 000004
【００４８】
ここで繰り返しになるが、ＲＩは、この態様のＤＣＩメッセージの制御エントリである。ｅノードＢ１１０がＲＩを０に設定したときに、これは、ランク１のビームフォーミングを実行するための、ＵＥ１２０に対する指示である（その理由は、単一のＴＢが送信されることになるためである）。単一のＴＢが送信されることになるときに、表１に関して以前に説明したのと同様に、ＮＤＩ＿１は、これが、新しい送信であるか、または、再送信であるかを示し、ＮＤＩ＿２は、使用可能なＴＢのインデックスを指示する。５ビットのＰＭＩフィールドに関してありえる３２個のコードポイントのうち、２４個のコードポイントが、ランク１の閉ループビームフォーミングのためのプリコーディング行列の信号を出すために使用されてもよい。残りのコードポイントのうちの１個は、ランク１の開ループ送信のシグナリングのために利用されてもよい。残りの７個のコードポイントのうちの別の１個は、ランク２の開ループＭＩＭＯ動作の信号を出すために利用されてもよい。例えば、コードポイントのこの値を使用して、２個のレイヤにマッピングされたＴＢが再送信されるシナリオを取り扱ってもよい。
【００４９】
ＲＩが１、２、または、３に設定されているときに、これは、ＯＦＤＭシンボルごとに異なるプリコーディング行列を適用することによって開ループＭＩＭＯを行うための、ＵＥ１２０に対する指示である。４本のアンテナの構成では、ＵＥ１２０は、単一のＴＢを２個のレイヤにマッピングすることによって、最初のランク３／４の送信を実行してもよい。ＮＤＩ＿１は、ＴＢ＿１が新しい送信であるか、または、再送信であるかを示してもよく、ＮＤＩ＿２は、ＴＢ＿２が新しい送信であるか、または、再送信であるかを示してもよい。５ビットのＭＣＳフィールドは、第１のＴＢ用のＭＣＳの信号を出してもよく、ＲＩ＝１、２、または、３のケースでは、５ビットのＰＭＩフィールドを使用して、第２のＴＢ用のＭＣＳの信号を出してもよい。
【００５０】
図６は、ワイヤレス通信システム中で送信スキームを通信するのに実行される例示的なブロックのブロックシーケンス６００を図示した、機能的なブロック図である。ブロック６０２において、ＵＥアップリンク通信に適した複数の送信スキームから、選択された送信スキームが識別される。ブロック６０４において、選択された送信スキームに関係付けられている制御要素が選択される。ブロック６０６において、制御要素と、選択された送信スキームに一意的に関係付けられている１組のパラメータとを使用して、ＤＣＩメッセージが発生される。その後、ブロック６０８において、ＵＥにＤＣＩメッセージが送信される。
【００５１】
図７は、ＵＥ通信に適した複数の送信スキームから、選択された送信スキームを識別するためのモジュール７０２を含む、ワイヤレス通信用の装置７００（例えば、ＵＥ１２０）を描写する。モジュール７０４は、選択された送信スキームに関係付けられている制御要素を選択するために提供されている。モジュール７０６は、制御要素と、選択された送信スキームに一意的に関係付けられている１組のパラメータとを使用して、ＤＣＩメッセージを発生させるためのものである。モジュール７０８は、ＵＥにＤＣＩメッセージを送信するために提供されている。
【００５２】
図８は、ワイヤレス通信システム中で送信スキームを通信するのに実行される例示的なブロックのブロックシーケンス８００を図示した、機能的なブロック図である。ブロック８０２において、基地局からダウンリンク制御メッセージを受信する。ブロック８０４において、ダウンリンク制御メッセージから、制御要素が読み取られる。ブロック８０６において、制御要素に基づいて、アップリンク送信スキームが設定される。ブロック８０８において、制御要素に一意的に関係付けられている１組の解釈ルールが決定される。その後、ブロック８１０において、１組の解釈ルールにしたがって、ダウンリンク制御メッセージ内の１組のパラメータが解釈される。
【００５３】
図９は、ワイヤレス通信受信機装置９００の描写である。モジュール９０２は、基地局からダウンリンク制御メッセージを受信するために提供されている。モジュール９０４は、ダウンリンク制御メッセージから制御要素を読み取るためのものである。モジュール９０６は、制御要素に基づいて、アップリンク送信スキームを設定するために提供されている。モジュール９０８は、制御要素に一意的に関係付けられている１組の解釈ルールを決定するためのものである。モジュール９１０は、１組の解釈ルールにしたがって、ダウンリンク制御メッセージ内の１組のパラメータを解釈するために提供されている。
【００５４】
正しく認識されるように、ここで説明した新しいＤＣＩメッセージング手順は、ランク１の閉ループビームフォーミング、開ループビームフォーミング、または、同じ構文（例えば、単一のＤＣＩフォーマット）を使用する、さらに高いランク（例えば、２、３、または、４）の開ループ空間多重化の、いずれかのシグナリングをイネーブルする。新しいＤＣＩメッセージのフィールド中の制御要素は、送信スキームと、ＤＣＩメッセージ中で見出された選択された送信スキームに関係付けられている１組のパラメータを解釈する際に使用するための特定の組のルールとを、ＵＥ１２０に対して示す。複数のトランスポートブロックの潜在的なトランスポートに適応するために、新しいフィールドがまた追加される。
【００５５】
さまざまな異なる技術および技法のうちの任意のものを使用して、情報および信号を表してもよいことを、当業者は理解するだろう。先の説明全体を通して参照した、例えば、データ、命令、コマンド、情報、信号、ビット、シンボル、および、チップは、電圧、電流、電磁波、磁界または磁気の粒子、光学界または光の粒子、あるいは、これらの任意の組み合わせによって表されてもよい。
【００５６】
ここでの開示に関連して説明した、さまざまな例示的な論理ブロック、モジュール、および、アルゴリズムステップは、電子ハードウェア、コンピュータソフトウェア、あるいは、双方を組み合わせたものとして実現されてもよいことを、当業者はさらに正しく認識するだろう。ハードウェアおよびソフトウェアのこの互換性を明確に図示するために、さまざまな例示的なコンポーネント、ブロック、モジュール、回路、および、ステップを、これらの機能性の観点から先に概して説明してきた。このような機能性が、ハードウェアまたはソフトウェアとして実現されるか否かは、システム全体に課せられている、特定のアプリケーションおよび設計制約に依存する。当業者は、それぞれの特定の応用に対して方法を変化させて、説明した機能性を実現してもよいが、そのような実現の決定は、本開示の範囲からの逸脱を生じさせるものとして解釈すべきではない。  
ここでの開示に関連して説明した、さまざまな例示的な論理ブロック、モジュール、および、回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、ここで説明した機能を実行するように設計されているこれらの任意の組み合わせで、実現または実行されてもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサとの組み合わせ、複数のマイクロプロセッサ、ＤＳＰコアを伴う１つ以上のマイクロプロセッサ、または、他の何らかのこのような構成として、実現されてもよい。
【００５７】
ここでの開示に関連して説明した方法またはアルゴリズムのステップは、直接、ハードウェアで、プロセッサにより実行されるソフトウェアモジュールで、あるいは、２つのものを組み合わせたもので、具現化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されている。代替実施形態では、記憶媒体は、プロセッサに一体化していてもよい。プロセッサおよび記憶媒体は、ＡＳＩＣに存在していてもよい。ＡＳＩＣは、ユーザ端末に存在していてもよい。代替実施形態では、プロセッサおよび記憶媒体は、ユーザ端末中にディスクリートコンポーネントとして存在していてもよい。
【００５８】
１つ以上の例示的な設計では、説明した機能は、ハードウェア、ソフトウェア、ファームウェア、または、これらの任意の組み合わせで、実現されてもよい。ソフトウェアで実現された場合、機能は、１つ以上の命令またはコードとして、一時的でないコンピュータ読取可能媒体上に記憶されてもよく、あるいは、１つ以上の命令またはコードとして、一時的でないコンピュータ読取可能媒体上に送信されてもよい。一時的でないコンピュータ読取可能媒体は、コンピュータ記憶媒体およびこれに類似するものを含む。記憶媒体は、汎用コンピュータまたは特殊目的コンピュータによってアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用コンピュータまたは特殊目的コンピュータ、あるいは、汎用プロセッサまたは特殊目的プロセッサによりアクセスでき、命令またはデータ構造の形態で所望のプログラムコード手段を伝送または記憶するために使用できる他の何らかの媒体を含むことができる。ここで使用したようなディスク（ｄｉｓｋおよびｄｉｓｃ）は、コンパクトディスク（ＣＤ）、レーザディスク、光ディスク、デジタル多用途ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【００５９】
本開示のこれまでの説明は、当業者が本開示を製作または使用できるように提供した。本開示に対するさまざま修正は当業者に容易に明らかとなり、ここに規定した一般的な原理は、本開示の精神または範囲から逸脱することなく、他のバリエーションに適用されてもよい。したがって、本開示は、ここで説明した例および設計に限定されることを意図しているものではなく、ここで開示した原理および新規の特徴と一致した最も広い範囲に一致させるべきである。
【図１】
2013536654.tif 000005
【図２】
2013536654.tif 000006
【図３Ａ】
2013536654.tif 000007
【図３Ｂ】
2013536654.tif 000008
【図３Ｃ】
2013536654.tif 000009
【図３Ｄ】
2013536654.tif 000010
【図４】
2013536654.tif 000011
【図５】
2013536654.tif 000012
【図６】
2013536654.tif 000013
【図７】
2013536654.tif 000014
【図８】
2013536654.tif 000015
【図９】
2013536654.tif 000016
【国際調査報告】
2013536654.tif 000017
2013536654.tif 000018
2013536654.tif 000019
2013536654.tif 000020
2013536654.tif 000021